(57)【要約】  【課題】  他チャンネルによる妨害の影響を低減できる地上波デジタル放送受信チューナを提供する。  【解決手段】  マイコン１４は、バンドパスフィルタ３及び５とＰＬＬ回路９を制御することにより受信周波数及び電圧制御発振器７の発振周波数を掃引し、その掃引中に復調回路１３からの出力を用いて前記受信周波数の受信信号の入力電界強度が第１の閾値以上であるチャンネルを検出し、その検出したチャンネルにおいて隣接するチャンネル間の入力電界強度差が第２の閾値以上であるものが少なくとも一つある場合は前記検出したチャンネルにおいて隣接するチャンネル間の入力電界強度差が全て第２の閾値未満である場合と比較してＡＧＣ電圧（Ｖ２，Ｖ３）の設定を下げる。【選択図】      図１
2005333198.tif 000002
【特許請求の範囲】
【請求項１】
入力端子と、
前記入力端子に入力された多数の受信信号から受信周波数の受信信号を選別する選別部と、
制御電圧によって発振周波数が制御される電圧制御発振器と、
前記選別部の出力信号に基づく信号を入力し、その入力した信号を前記電圧制御発振器から出力される局部発振信号を用いて周波数変換して出力するミキサと、
前記受信周波数の受信信号の入力電界強度に関する情報を入力し、前記受信周波数の受信信号の入力電界強度に応じたゲイン制御電圧を生成するゲイン制御電圧生成部と、
前記ゲイン制御電圧に応じてチューナのゲインを可変する可変利得部と、
前記制御電圧を生成する制御電圧生成部と、
前記選別部及び前記制御電圧生成部を制御することにより前記受信周波数及び前記発振周波数を掃引し、前記受信周波数及び前記発振周波数の掃引中に前記受信周波数の受信信号の入力電界強度に関する情報を入力して前記受信周波数の受信信号の入力電界強度が第１の閾値以上であるチャンネルを検出し、その検出したチャンネルにおいて隣接するチャンネル間の入力電界強度差が第２の閾値以上であるものが少なくとも一つある場合は前記検出したチャンネルにおいて隣接するチャンネル間の入力電界強度差が全て第２の閾値未満である場合と比較して前記ゲイン制御電圧の設定を下げるように前記ゲイン制御電圧生成部を制御する制御部と、
を備えることを特徴とする地上波デジタル放送受信チューナ。
【請求項２】
入力端子と、
前記入力端子に入力された多数の受信信号から受信周波数の受信信号を選別する選別部と、
制御電圧によって発振周波数が制御される電圧制御発振器と、
前記選別部の出力信号に基づく信号を入力し、その入力した信号を前記電圧制御発振器から出力される局部発振信号を用いて周波数変換して出力するミキサと、
前記受信周波数の受信信号の入力電界強度に関する情報を入力し、前記受信周波数の受信信号の入力電界強度に応じたゲイン制御電圧を生成するゲイン制御電圧生成部と、
前記ゲイン制御電圧に応じてチューナのゲインを可変する可変利得部と、
前記制御電圧を生成する制御電圧生成部と、
前記選別部及び前記制御電圧生成部を制御することにより前記受信周波数及び前記発振周波数を掃引し、前記受信周波数及び前記発振周波数の掃引中に前記受信周波数の受信信号の入力電界強度に関する情報を入力し前記受信周波数の受信信号の入力電界強度が第１の閾値以上であるチャンネルを検出し、その検出したチャンネルの数が第３の閾値以上である場合は前記検出したチャンネルの数が第３の閾値未満である場合と比較して前記ゲイン制御電圧の設定を下げるように前記ゲイン制御電圧生成部を制御する制御部と、
を備えることを特徴とする地上波デジタル放送受信チューナ。
【請求項３】
前記入力端子の後段に設けられるローノイズアンプと、
前記ローノイズアンプを信号伝達経路に含めるか否かを切り替える切替部と、
を備え、
前記制御部が、前記切替部を制御することにより前記ローノイズアンプを信号伝達経路に含めないようにした状態で前記選別部及び前記制御電圧生成部を制御することにより前記受信周波数及び前記発振周波数を掃引し、前記受信周波数及び前記発振周波数の掃引中に前記受信周波数の受信信号の入力電界強度に関する情報を入力し前記受信周波数の受信信号の入力電界強度が第１の閾値以上であるチャンネルを検出し、その検出したチャンネルの入力電界強度が全て第１の閾値より大きい値である第４の閾値以下である場合は前記ローノイズアンプを信号伝達経路に含めるように前記切替部を制御し、前記検出したチャンネルの入力電界強度の少なくとも一つが第４の閾値より大きい場合は前記ローノイズアンプを信号伝達経路に含めないように前記切替部を制御する請求項１または請求項２に記載の地上波デジタル放送受信チューナ。
【請求項４】
請求項１〜３のいずれかに記載の地上波デジタル放送受信チューナを備えることを特徴とする電子機器。
【発明の詳細な説明】
【技術分野】
【０００１】
本発明は、ＴＶ(television)やＳＴＢ(Set Top Box)等に用いられる地上波デジタル放送受信チューナに関する。
【背景技術】
【０００２】
従来の地上波放送受信チューナの概略構成例を図４に示す。図４に示す従来の地上波放送受信チューナは、ＲＦ入力端子１と、ＵＨＦバンド部２ａと、ＶＨＦバンド部２ｂと、水晶発振子８と、ＰＬＬ回路９と、ＩＦアンプ１０と、マイクロコンピュータ（以下、マイコンという）１２とを備えている。また、ＵＨＦバンド部２ａは、バンドパスフィルタ３ａと、ＲＦアンプ４ａと、バンドパスフィルタ５ａと、ミキサ回路６ａと、電圧制御発振器７ａとを有し、ＶＨＦバンド部２ｂは、バンドパスフィルタ３ｂと、ＲＦアンプ４ｂと、バンドパスフィルタ５ｂと、ミキサ回路６ｂと、電圧制御発振器７ｂとを有している。そして、ＩＦアンプ１０の出力端に復調回路１１が接続される。なお、バンドパスフィルタ３ａ、３ｂ、５ａ、及び５ｂは、マイコン１２から出力される同調電圧Ｖ１に応じてフィルタ特性が変化する。また、マイコン１２は外部から入力される受信希望チャンネルに関する情報に基づいて受信希望チャンネル毎に異なる値の同調電圧Ｖ１を出力する。
【０００３】
ＲＦ入力端子１に入力された多数の受信信号は、ＵＨＦバンド部２ａとＶＨＦバンド部２ｂそれぞれに分配入力される。
【０００４】
図４に示す従来の地上波放送受信チューナは、バンド切り替え用スイッチ（図示せず）によってＵＨＦバンド部２ａとＶＨＦバンド部２ｂのいずれか一方のみに電力供給を行っている。
【０００５】
受信希望チャンネルがＵＨＦバンドのチャンネルである場合、ＵＨＦバンド部２ａに電力が供給される。ＵＨＦバンド部２ａに入力された多数の受信信号は、先ず、バンドパスフィルタ３ａにより多数の受信信号の中から受信希望信号のみが選別される。そして、バンドパスフィルタ３ａによって選別された受信希望信号が、ＲＦアンプ４ａで増幅される。その後、バンドパスフィルタ５ａによりＲＦアンプ４ａの出力信号の中から受信希望信号のみが更に選別され、ミキサ回路６ａに入力される。また、電圧制御発振器７ａは、ＰＬＬ回路９が生成する制御電圧に応じて周波数が変化する局部発振信号を発振し、ミキサ回路６ａに出力する。
【０００６】
ミキサ回路６ａは、受信希望信号と局部発振信号を混合することにより周波数変換をおこない、受信希望信号を中間周波（ＩＦ）信号にダウンコンバートしてＩＦアンプ１０に出力する。ミキサ回路６ａから出力される中間周波信号の周波数は電圧制御発振器７ａが発振する局部発振信号の周波数と受信希望信号の周波数との差により決定される。
【０００７】
ＰＬＬ回路９は、水晶振動子８の振動周波数を基準周波数とし、マイコン１２から出力される同調電圧Ｖ１に応じて受信希望チャンネル毎に異なる値の制御電圧を生成する。これにより、電圧制御発振器７ａが発振する局部発振信号の周波数は受信希望信号の周波数に比例して変更され、ミキサ回路６ａから出力される中間周波信号は常に一定の周波数となる。
【０００８】
一方、受信希望チャンネルがＶＨＦバンドのチャンネルである場合、ＶＨＦバンド部２ｂに電力が供給される。ＶＨＦバンド部２ｂに入力された多数の受信信号は、先ず、バンドパスフィルタ３ｂにより多数の受信信号の中から受信希望信号のみが選別される。そして、バンドパスフィルタ３ｂによって選別された受信希望信号がＲＦアンプ４ｂで増幅される。その後、バンドパスフィルタ５ｂによりＲＦアンプ４ｂの出力信号の中から受信希望信号のみが更に選別され、ミキサ回路６ｂに入力される。また、電圧制御発振器７ｂは、ＰＬＬ回路９が生成する制御電圧に応じて周波数が変化する局部発振信号を発振し、ミキサ回路６ｂに出力する。
【０００９】
ミキサ回路６ｂは、受信希望信号と局部発振信号を混合することにより周波数変換をおこない、受信希望信号を中間周波（ＩＦ）信号にダウンコンバートしてＩＦアンプ１０に出力する。ミキサ回路６ｂから出力される中間周波信号の周波数は電圧制御発振器７ｂが発振する局部発振信号の周波数と受信希望信号の周波数との差により決定される。
【００１０】
ＰＬＬ回路９は、水晶振動子８の振動周波数を基準周波数とし、マイコン１２から出力される同調電圧Ｖ１に応じて受信希望チャンネル毎に異なる値の制御電圧を生成する。これにより、電圧制御発振器７ｂが発振する局部発振信号の周波数は受信希望信号の周波数に比例して変更され、ミキサ回路６ｂから出力される中間周波信号は常に一定の周波数となる。
【００１１】
ミキサ回路６ａまたはミキサ回路６ｂから出力された中間周波信号は、ＩＦアンプ１０によって増幅されたのち復調回路１１に入力され、復調回路１１によって復調され、映像信号及び音声信号となって復調回路１１から出力される。
【００１２】
図４に示す従来の地上波放送受信チューナへ入力される受信希望信号のレベルにはかなりの幅があるが、どの入力レベル（入力電界強度）でも安定した性能を確保する必要がある。そのため、ＲＦアンプ４及びＩＦアンプ１０は可変利得増幅器になっており、ＲＦアンプ４の利得はマイコン１２から出力されるＲＦ_ＡＧＣ電圧Ｖ２によって制御され、ＩＦアンプ１０の利得はマイコン１２から出力されるＩＦ_ＡＧＣ電圧Ｖ３によって制御される。マイコン１２は、復調回路１２から中間周波信号のレベルに関する情報を復調回路１２から受け取り、その受け取った情報から受信希望信号の入力電界強度を求め、受信希望信号の入力電界強度に応じたＲＦ_ＡＧＣ電圧Ｖ２及びＩＦ_ＡＧＣ電圧Ｖ３を設定している。
【特許文献１】特開昭６１−１１１３号公報
【特許文献２】特開昭６１−１１１４号公報
【発明の開示】
【発明が解決しようとする課題】
【００１３】
昨今、ＴＶやＳＴＢ等に用いられる地上波放送受信チューナにおいては、地上波デジタル放送の開始により多様な信号を処理する必要がでてきており、チャンネル間の電界強度の差が受信地域によって大きく異なっており、受信地域によっては隣接チャンネル妨害の影響が現れている。また、昨今、ＴＶやＳＴＢ等に用いられる地上波放送受信チューナにおいては、地上波デジタル放送の開始により受信する放送の多チャンネル化が進んでおり、それに伴ってマルチチャンネル妨害の影響が現れている。
【００１４】
本発明は、上記の問題点に鑑み、他チャンネルによる妨害の影響を低減できる地上波デジタル放送受信チューナを提供することを目的とする。
【課題を解決するための手段】
【００１５】
上記目的を達成するために本発明に係る地上波デジタル放送受信チューナは、入力端子と、前記入力端子に入力された多数の受信信号から受信周波数の受信信号を選別する選別部と、制御電圧によって発振周波数が制御される電圧制御発振器と、前記選別部の出力信号に基づく信号を入力し、その入力した信号を前記電圧制御発振器から出力される局部発振信号を用いて周波数変換して出力するミキサと、前記受信周波数の受信信号の入力電界強度に関する情報を入力し、前記受信周波数の受信信号の入力電界強度に応じたゲイン制御電圧を生成するゲイン制御電圧生成部と、前記ゲイン制御電圧に応じてチューナのゲインを可変する可変利得部と、前記制御電圧を生成する制御電圧生成部と、前記選別部及び前記制御電圧生成部を制御することにより前記受信周波数及び前記発振周波数を掃引し、前記受信周波数及び前記発振周波数の掃引中に前記受信周波数の受信信号の入力電界強度に関する情報を入力して前記受信周波数の受信信号の入力電界強度が第１の閾値（例えば、５０ｄＢμ）以上であるチャンネルを検出し、その検出したチャンネルにおいて隣接するチャンネル間の入力電界強度差が第２の閾値（例えば１５ｄＢ）以上であるものが少なくとも一つある場合は前記検出したチャンネルにおいて隣接するチャンネル間の入力電界強度差が全て第２の閾値未満である場合と比較して前記ゲイン制御電圧の設定を下げるように前記ゲイン制御電圧生成部を制御する制御部と、を備える構成とする。
【００１６】
オートサーチによって検出されたチャンネルにおいて隣接するチャンネル間の入力電界強度差が大きい場合、入力電界強度の小さいチャンネルを受信すると隣接チャンネル妨害の影響が大きく現れるが、上記構成の地上波デジタル放送受信チューナでは、オートサーチによって検出されたチャンネルにおいて隣接するチャンネル間の入力電界強度差が第２の閾値以上であるものが少なくとも一つある場合はゲイン制御電圧の設定を下げているので、隣接チャンネル妨害の影響を低減することができる。
【００１７】
上記目的を達成するために本発明に係る地上波デジタル放送受信チューナは、入力端子と、前記入力端子に入力された多数の受信信号から受信周波数の受信信号を選別する選別部と、制御電圧によって発振周波数が制御される電圧制御発振器と、前記選別部の出力信号に基づく信号を入力し、その入力した信号を前記電圧制御発振器から出力される局部発振信号を用いて周波数変換して出力するミキサと、前記受信周波数の受信信号の入力電界強度に関する情報を入力し、前記受信周波数の受信信号の入力電界強度に応じたゲイン制御電圧を生成するゲイン制御電圧生成部と、前記ゲイン制御電圧に応じてチューナのゲインを可変する可変利得部と、前記制御電圧を生成する制御電圧生成部と、前記選別部及び前記制御電圧生成部を制御することにより前記受信周波数及び前記発振周波数を掃引し、前記受信周波数及び前記発振周波数の掃引中に前記受信周波数の受信信号の入力電界強度に関する情報を入力して前記受信周波数の受信信号の入力電界強度が第１の閾値（例えば５０ｄＢμ）以上であるチャンネルを検出し、その検出したチャンネルの数が第３の閾値（例えば１０）以上である場合は前記検出したチャンネルの数が第３の閾値未満である場合と比較して前記ゲイン制御電圧の設定を下げるように前記ゲイン制御電圧生成部を制御する制御部と、を備える構成とする。
【００１８】
オートサーチによって検出されたチャンネルが多数である場合、マルチチャンネル妨害の影響が大きく現れるおそれがあるが、上記構成の地上波デジタル放送受信チューナでは、オートサーチによって検出されたチャンネルの数が第３の閾値以上である場合はゲイン制御電圧の設定を下げているので、マルチチャンネル妨害の影響を低減することができる。
【００１９】
また、上記いずれかの構成の地上波デジタル放送受信チューナにおいて、前記入力端子の後段に設けられるローノイズアンプと、前記ローノイズアンプを信号伝達経路に含めるか否かを切り替える切替部と、を備え、前記制御部が、前記切替部を制御することにより前記ローノイズアンプを信号伝達経路に含めないようにした状態で前記選別部及び前記制御電圧生成部を制御することにより前記受信周波数及び前記発振周波数を掃引し、前記受信周波数及び前記発振周波数の掃引中に前記受信周波数の受信信号の入力電界強度に関する情報を入力し前記受信周波数の受信信号の入力電界強度が第１の閾値以上であるチャンネルを検出し、その検出したチャンネルの入力電界強度が全て第１の閾値より大きい値である第４の閾値（例えば６０ｄＢμ）以下である場合は前記ローノイズアンプを信号伝達経路に含めるように前記切替部を制御し、前記検出したチャンネルの入力電界強度の少なくとも一つが第４の閾値より大きい場合は前記ローノイズアンプを信号伝達経路に含めないように前記切替部を制御してもよい。
【００２０】
このような構成によると、オートサーチによって検出されたチャンネルの入力電界強度が全て第４の閾値以下である場合はローノイズアンプが信号伝達経路に含まれるので、チューナのゲインを稼ぐことができ、前記ゲイン制御電圧の設定が下げられていても良好な信号を得ることができる。
【００２１】
なお、本発明に係る地上波デジタル放送受信チューナは、ＴＶやＳＴＢ等の電子機器に適用することができる。
【発明の効果】
【００２２】
本発明によると、他チャンネルによる妨害の影響を低減できる地上波デジタル放送受信チューナを実現することができる。
【発明を実施するための最良の形態】
【００２３】
本発明の一実施形態について図面を参照して以下に説明する。本発明に係る地上波デジタル放送受信チューナの概略構成例を図１に示す。なお、図１において図４と同一の部分には同一の符号を付す。
【００２４】
図１に示す本発明に係る地上波デジタル放送受信チューナは、ＲＦ入力端子１と、スイッチＳＷ１と、ローノイズアンプＡ１と、バンドパスフィルタ３と、ＲＦアンプ４と、バンドパスフィルタ５と、ミキサ回路６と、電圧制御発振器７と、水晶発振子８と、ＰＬＬ回路９と、バンドパスフィルタＦ１と、ＩＦアンプ１０と、マイコン１４とを備えている。そして、ＩＦアンプ１０の出力端に復調回路１３が接続される。なお、バンドパスフィルタ３及び５は、マイコン１４から出力される同調電圧Ｖ１に応じてフィルタ特性が変化する。また、マイコン１４は外部から入力される受信希望チャンネルに関する情報に基づいて受信希望チャンネル毎に異なる値の同調電圧Ｖ１を出力する。
【００２５】
ＲＦ入力端子１に入力された多数の受信信号は、ローノイズアンプＡ１を介してまたはローノイズアンプＡ１を介さずにバンドパスフィルタ３に入力され、先ず、バンドパスフィルタ３により多数の受信信号の中から受信希望信号のみが選別される。そして、バンドパスフィルタ３によって選別された受信希望信号が、ＲＦアンプ４で増幅される。その後、バンドパスフィルタ５によりＲＦアンプ４の出力信号の中から受信希望信号のみが更に選別され、ミキサ回路６に入力される。また、電圧制御発振器７は、ＰＬＬ回路９が生成する制御電圧に応じて周波数が変化する局部発振信号を発振し、ミキサ回路６に出力する。
【００２６】
ミキサ回路６は、受信希望信号と局部発振信号を混合することにより周波数変換をおこない、受信希望信号を中間周波（ＩＦ）信号にダウンコンバートしてバンドパスフィルタＦ１を介してＩＦアンプ１０に出力する。ミキサ回路６から出力される中間周波信号の周波数は電圧制御発振器７が発振する局部発振信号の周波数と受信希望信号の周波数との差により決定される。
【００２７】
ＰＬＬ回路９は、水晶振動子８の振動周波数を基準周波数とし、マイコン１４から出力される同調電圧Ｖ１に応じて受信希望チャンネル毎に異なる値の制御電圧を生成する。これにより、電圧制御発振器７が発振する局部発振信号の周波数は受信希望信号の周波数に比例して変更され、ミキサ回路６から出力される中間周波信号は常に一定の周波数となる。
【００２８】
ミキサ回路６から出力された中間周波信号は、バンドパスフィルタＦ１によって不要成分が除去され、ＩＦアンプ１０によって増幅されたのち復調回路１３に入力され、復調回路１３によって復調され、映像信号及び音声信号となって復調回路１３から出力される。
【００２９】
図１に示す本発明に係る地上波デジタル放送受信チューナへ入力される受信希望信号の入力電界強度にはかなりの幅があるが、どの入力電界強度でも安定した性能を確保する必要がある。そのため、ＲＦアンプ４及びＩＦアンプ１０は可変利得増幅器になっており、ＲＦアンプ４の利得はマイコン１４から出力されるＲＦ_ＡＧＣ電圧Ｖ２によって制御され、ＩＦアンプ１０の利得はマイコン１４から出力されるＩＦ_ＡＧＣ電圧Ｖ３によって制御される。マイコン１４は、復調回路１３から中間周波信号のレベルに関する情報を復調回路１３から受け取り、その受け取った情報から受信希望信号の入力電界強度を求め、受信希望信号の入力電界強度に応じたＲＦ_ＡＧＣ電圧Ｖ２及びＩＦ_ＡＧＣ電圧Ｖ３を設定している。
【００３０】
図１に示す本発明に係る地上波デジタル放送受信チューナのオートサーチ・プリセット時における動作について説明する。オートサーチ・プリセット時におけるマイコン１４の動作フローチャートを図２に示す。なお、以下の説明では説明を簡単にするためＲＦ_ＡＧＣ電圧Ｖ２及びＩＦ_ＡＧＣ電圧Ｖ３を同一とし、これらをまとめてＡＧＣ電圧と称する。
【００３１】
マイコン１４にオートサーチ・プリセットの開始する旨の指令が入力されると、図２のフローチャートが開始される。先ず、マイコン１４は、ローノイズアンプＡ１を信号伝達経路に含めないように即ちＲＦ入力端子１とバンドパスフィルタ３とがローノイズアンプＡ１を介さずに接続されるようにスイッチＳＷ１を制御した状態で、同調電圧Ｖ１を所定の範囲掃引する。同調電圧Ｖ１を掃引している間、マイコン１４は、入力電界強度が第１の閾値（例えば５０ｄＢμ）以上の受信チャンネルを検出し、検出した受信チャンネルの同調電圧Ｖ１及び入力電界強度をチャンネル番号に対応させて内部メモリに記憶することで、検出した受信チャンネルを登録する（ステップＳ１０）。なお、マイコン１４は、復調回路１３から中間周波信号のレベルに関する情報を復調回路１３から受け取っており、入力電界強度が第１の閾値（例えば５０ｄＢμ）以上の受信チャンネルを検出すると、その受け取った情報から検出した受信チャンネルの入力電界強度を求めている。
【００３２】
続くステップＳ２０では、マイコン１４は、ステップＳ１０において内部メモリに記憶したデータに基づいて、登録した受信チャンネルにおいて隣接するチャンネル間の入力電界強度差が全て第２の閾値（例えば１５ｄＢ）未満であるか否かを判定する。
【００３３】
登録した受信チャンネルにおいて隣接するチャンネル間の入力電界強度差が全て第２の閾値未満である場合（ステップＳ２０のＹＥＳ）、後述するステップＳ３０に移行する。一方、登録したチャンネルにおいて隣接するチャンネル間の入力電界強度差が第２の閾値以上であるものが少なくとも一つある場合（ステップＳ２０のＮＯ）、後述するステップＳ５０に移行する。
【００３４】
ステップＳ３０では、マイコン１４は、ステップＳ１０において内部メモリに記憶したデータに基づいて、登録した受信チャンネルの数が第３の閾値（例えば１０）未満であるか否かを判定する。
【００３５】
登録した受信チャンネルの数が第３の閾値未満である場合（ステップＳ３０のＹＥＳ）、後述するステップＳ４０に移行する。一方、登録したチャンネルの数が第３の閾値以上である場合（ステップＳ３０のＮＯ）、後述するステップＳ５０に移行する。
【００３６】
ステップＳ４０では、マイコン１４は、ＡＧＣ電圧の設定を予め内部メモリに記憶されている図３（ａ）の特性線Ｔ１の関係を満たす設定（標準設定）とする。これに対して、ステップＳ５０では、マイコン１４は、ＡＧＣ電圧の設定を予め内部メモリに記憶されている図３（ａ）の特性線Ｔ２の関係を満たす設定とする、即ち標準設定よりもＡＧＣ電圧を下げる設定とする。なお、図３（ａ）の特性線Ｔ１の関係を満たす設定の代わりに図３（ｂ）の特性線Ｔ１’の関係を満たす設定、図３（ａ）の特性線Ｔ２の関係を満たす設定の代わりに図３（ｂ）の特性線Ｔ２’の関係を満たす設定をそれぞれマイコン１４の内部メモリに予め記憶させるようにしてもよい。
【００３７】
ステップＳ４０またはステップＳ５０の処理を行った後、マイコン１４は、ステップＳ１０において内部メモリに記憶したデータに基づいて、登録した受信チャンネルの入力電界強度が全て第４の閾値（例えば６０ｄＢμ）以下であるか否かを判定する。なお、第４の閾値は第１の閾値よりも大きな値に設定される。
【００３８】
登録した受信チャンネルの入力電界強度が全て第４の閾値以下であれば（ステップＳ６０のＹＥＳ）、マイコン１４は、ローノイズアンプＡ１を信号伝達経路に含めるように即ちＲＦ入力端子１とバンドパスフィルタ３とがローノイズアンプＡ１を介して接続されるようにスイッチＳＷ１を制御し（ステップＳ７０）、フロー動作を終了する。一方、チャンネルの入力電界強度の少なくとも一つが第４の閾値より大きければ（ステップＳ６０のＮＯ）、マイコン１４は、ローノイズアンプＡ１を信号伝達経路に含めないように即ちＲＦ入力端子１とバンドパスフィルタ３とがローノイズアンプＡ１を介さずに接続されるようにスイッチＳＷ１を制御し（ステップＳ８０）、フロー動作を終了する。なお、消費電力の低減を図る観点から、ステップＳ１０及びステップＳ８０においては、ローノイズアンプＡ１への電力供給を停止することが望ましい。
【００３９】
オートサーチ・プリセット時にマイコン１４が上述した動作を行うので、図１に示す地上波デジタル放送受信チューナは以下の効果を奏する。
【００４０】
オートサーチによって検出され登録（プリセット）された受信チャンネルにおいて隣接するチャンネル間の入力電界強度差が大きい場合、入力電界強度の小さいチャンネルを受信すると隣接チャンネル妨害の影響が大きく現れるが、図１に示す本発明に係る地上波デジタル放送受信チューナでは、オートサーチによって検出され登録（プリセット）された受信チャンネルにおいて隣接するチャンネル間の入力電界強度差が第２の閾値以上であるものが少なくとも一つある場合はＡＧＣ電圧の設定を下げているので、隣接チャンネル妨害の影響を低減することができる。また、オートサーチによって検出され登録（プリセット）された受信チャンネルが多数である場合、マルチチャンネル妨害の影響が大きく現れるおそれがあるが、図１に示す本発明に係る地上波デジタル放送受信チューナでは、オートサーチによって検出され登録（プリセット）された受信チャンネルの数が第３の閾値以上である場合はＡＧＣ電圧の設定を下げているので、マルチチャンネル妨害の影響を低減することができる。なお、図１に示す本発明に係る地上波デジタル放送受信チューナの受信対象はデジタル放送であるため、従来のアナログ放送を受信する場合と異なり、ある程度の入力感度を有していれば良好に復調することができるため、上述したようにＡＧＣ電圧の設定を下げることができる。
【００４１】
また、図１に示す本発明に係る地上波デジタル放送受信チューナでは、オートサーチによって検出され登録（プリセット）された受信チャンネルの入力電界強度が全て第４の閾値以下である場合はローノイズアンプが信号伝達経路に含まれるので、チューナのゲインを稼ぐことができ、ＡＧＣ電圧の設定が下げられていても入力感度が低くなり過ぎることを防止することができ、良好な信号を得ることができる。
【００４２】
なお、本実施形態では、オートサーチによって検出され登録（プリセット）された受信チャンネルにおいて隣接するチャンネル間の入力電界強度差やオートサーチによって検出され登録（プリセット）された受信チャンネルの数に応じてＡＧＣ電圧（ＲＦ＿ＡＧＣ電圧Ｖ２及びＩＦ＿ＡＧＣ電圧Ｖ３）の設定を変更したが、ＲＦ＿ＡＧＣ電圧Ｖ２及びＩＦ＿ＡＧＣ電圧Ｖ３のいずれか一方のみの設定を変更するようにしてもよい。
【００４３】
また、図２に示すフローチャートにおいて、ステップＳ３０、Ｓ６０〜Ｓ８０を省いても構わない。この場合、図１に示す地上波デジタル放送受信チューナは、隣接チャンネル妨害の影響を低減するという効果を奏する。また、図２に示すフローチャートにおいて、ステップＳ２０、Ｓ６０〜Ｓ８０を省いても構わない。この場合、図１に示す地上波デジタル放送受信チューナは、マルチチャンネル妨害の影響を低減するという効果を奏する。また、図２に示すフローチャートにおいて、ステップＳ３０のみを省いても構わない。この場合、図１に示す地上波デジタル放送受信チューナは、隣接チャンネル妨害の影響を低減するという効果と、ＡＧＣ電圧の設定が下げられていても入力感度が低くなり過ぎることを防止することができ、良好な信号を得るという効果を奏する。また、図２に示すフローチャートにおいて、ステップＳ２０のみを省いても構わない。この場合、図１に示す地上波デジタル放送受信チューナは、マルチチャンネル妨害の影響を低減するという効果と、ＡＧＣ電圧の設定が下げられていても入力感度が低くなり過ぎることを防止することができ、良好な信号を得るという効果を奏する。
【００４４】
次に、本発明に係る電子機器についてＴＶを例に挙げて説明する。本発明に係るＴＶの概略構成は、図１に示す本発明に係る地上波デジタル放送受信チューナ及び復調回路１３に、操作キー等から成る入力部と、音声出力装置と、表示装置とを加えた構成である。
【００４５】
上記入力部は、受信希望チャンネルに関する情報を入力し、マイコン１４に出力する。マイコン１４は、入力した受信希望チャンネルに関する情報に応じた同調電圧Ｖ１を生成し、図１に示す本発明に係る地上波デジタル放送受信チューナは受信希望チャンネルに応じた中間周波信号を復調回路１３に出力する。復調回路１３は、上記中間周波信号をデジタル復調して音声信号及び映像信号等を得て、当該音声信号を上記音声出力装置に出力し、当該映像信号を上記表示装置に出力する。上記音声出力装置は復調回路１３から出力される音声信号に応じた音声を出力し、上記表示装置は復調回路１３から出力される映像信号に応じた映像を表示画面に表示する。
【００４６】
本発明に係るＴＶは、図１に示す本発明に係る地上波デジタル放送受信チューナを備えるので、他チャンネルによる妨害の影響を低減でき、良質な映像及び音声を出力することができる。
【図面の簡単な説明】
【００４７】
【図１】は、本発明に係る地上波デジタル放送受信チューナの概略構成例を示す図である。
【図２】は、図１の地上波デジタル放送受信チューナのオートサーチ、プリセット時における動作を示すフローチャートである。
【図３】は、ＡＧＣ電圧と受信希望信号の入力電界強度との関係を示す図である。
【図４】は、従来の地上波放送受信チューナの概略構成例を示す図である。
【符号の説明】
【００４８】
１    ＲＦ入力端子
３    バンドパスフィルタ
４    ＲＦアンプ
５    バンドパスフィルタ
６    ミキサ回路
７    電圧制御発振器
８    水晶発振子
９    ＰＬＬ回路
１０    ＩＦアンプ
１３    復調回路
１４    マイクロコンピュータ
Ａ１    ローノイズアンプ
Ｆ１    バンドパスフィルタ
ＳＷ１    スイッチ
【図１】
2005333198.tif 000003
【図２】
2005333198.tif 000004
【図３】
2005333198.tif 000005
【図４】
2005333198.tif 000006